(57)【要約】【課題】内部の視認性が良いハムスター飼育ケースを提供する。【解決手段】矩形浅皿状のベース盤１と、ベース盤１に取付け取外し自在に取り付けられた上ケース部材２とを、備える。上ケース部材２は、後縁面３が略水平状で前縁面４が前方下傾状として、凸曲面状の透明樹脂製の上面壁５を備える。上面壁５の前縁面４から後縁面３にわたって窓部６が貫設される。窓部６の後縁部７には、凸曲面状の透明樹脂製の開閉蓋８の後端縁９が、上方へ揺動して開放可能に、枢着されている。【選択図】図１
0003141950.tif 000002
【実用新案登録請求の範囲】
【請求項１】
矩形浅皿状のベース盤（１）と、該ベース盤（１）に取付け取外し自在に取り付けられた上ケース部材（２）とを、備え、
該上ケース部材（２）は、後縁面（３）が略水平状で前縁面（４）が前方下傾状乃至略鉛直状として、凸曲面状の透明樹脂製の上面壁（５）を備え、さらに、該上面壁（５）の前縁面（４）から後縁面（３）にわたって窓部（６）が貫設され、
該窓部（６）の後縁部（７）には、凸曲面状の透明樹脂製の開閉蓋（８）の後端縁（９）が、上方へ揺動して開放可能に、枢着されていることを特徴とするハムスター飼育ケース。
【請求項２】
矩形浅皿状のベース盤（１）と、該ベース盤（１）に取付け取外し自在に取り付けられた上ケース部材（２）とを、備え、
該上ケース部材（２）は、後縁面（３）が略水平状で前縁面（４）が前方下傾状乃至略鉛直状として、凸曲面状の透明樹脂製の上面壁（５）を備え、さらに、該上面壁（５）の前縁面（４）から後縁面（３）にわたって窓部（６）が貫設され、
該窓部（６）の後縁部（７）には、凸曲面状の透明樹脂製の開閉蓋（８）の後端縁（９）が、上方へ揺動して開放可能に、枢着され、
しかも、上記開閉蓋（８）の面積が、上記窓部（６）の面積を含む上記上面壁（５）の全面積の40％以上70％以下を占めるように設定されたことを特徴とするハムスター飼育ケース。
【請求項３】
上記上ケース部材（２）は、後面（10）に金属柵（11）を有し、左右側壁 (12)(13) には通気小孔（14）を有する透明樹脂製の側面壁 (15)(16) を備え、しかも、上記上面壁（５）及び上記開閉蓋（８）には、金属柵と通気小孔が省略されている請求項１又は２記載のハムスター飼育ケース。
【請求項４】
上記開閉蓋（８）は、その前端縁（17）に上下にスライドする一対のロック片 (18)(19) を有し、該ロック片 (18)(19) が上記窓部（６）の前端辺 (20）に係止可能に構成されている請求項１，２又は３記載のハムスター飼育ケース。
【考案の詳細な説明】
【技術分野】
【０００１】
本考案は、ハムスター飼育ケースに関する。
【背景技術】
【０００２】
ハムスターを飼育するために、一般に、飼育ケースの中にハムスターを入れて飼育する（例えば、特許文献１参照）。
しかし、上面や周囲壁がワイヤ（柵）になっており、ハムスターの視認性が悪かった。すなわち、ハムスターを見る時に、ワイヤが視界を邪魔にしていた。また、前面や上面に通気孔が設けられており、内部を見づらいという欠点があった。さらに、全体形状が直方体であって、一面のみを開閉して、エサやり、水やり、掃除等を行うので、それらを行いづらいという欠点があった。
【特許文献１】意匠登録第１１２２９２２号公報
【考案の開示】
【考案が解決しようとする課題】
【０００３】
解決しようとする課題は、柵や通気孔が邪魔になって、内部の視認性が悪い点である。また、エサやり、水やり、掃除等を行いづらい点である。また、室内に置いてもデザイン的にインテリアになりづらい点である。
【課題を解決するための手段】
【０００４】
そこで、本考案に係るハムスター飼育ケースは、矩形浅皿状のベース盤と、該ベース盤に取付け取外し自在に取り付けられた上ケース部材とを、備え、該上ケース部材は、後縁面が略水平状で前縁面が前方下傾状乃至略鉛直状として、凸曲面状の透明樹脂製の上面壁を備え、さらに、該上面壁の前縁面から後縁面にわたって窓部が貫設され、該窓部の後縁部には、凸曲面状の透明樹脂製の開閉蓋の後端縁が、上方へ揺動して開放可能に、枢着されているものである。
【０００５】
また、矩形浅皿状のベース盤と、該ベース盤に取付け取外し自在に取り付けられた上ケース部材とを、備え、該上ケース部材は、後縁面が略水平状で前縁面が前方下傾状乃至略鉛直状として、凸曲面状の透明樹脂製の上面壁を備え、さらに、該上面壁の前縁面から後縁面にわたって窓部が貫設され、該窓部の後縁部には、凸曲面状の透明樹脂製の開閉蓋の後端縁が、上方へ揺動して開放可能に、枢着され、しかも、上記開閉蓋の面積が、上記窓部の面積を含む上記上面壁の全面積の40％以上70％以下を占めるように設定されたものである。
【０００６】
また、上記上ケース部材は、後面に金属柵を有し、左右側壁には通気小孔を有する透明樹脂製の側面壁を備え、しかも、上記上面壁及び上記開閉蓋には、金属柵と通気小孔が省略されているものである。また、上記開閉蓋は、その前端縁に上下にスライドする一対のロック片を有し、該ロック片が上記窓部の前端辺に係止可能に構成されているものである。
【考案の効果】
【０００７】
本考案のハムスター飼育ケースによれば、内部の視認性が良い。また、ハムスターを飼育し易い。すなわち、エサやり、水やり、掃除等を容易に行うことができる。さらに、見た目（デザイン）がかわいい感じであって、室内のインテリアとしても好適である。
【考案を実施するための最良の形態】
【０００８】
図１〜図６は、本考案の実施の一形態を示す。このハムスター飼育ケースは、内部にハムスター（図示省略）を入れて、飼育するためのものである。
【０００９】
具体的には、矩形浅皿状のベース盤１と、ベース盤１に取付け取外し自在に取り付けられた上ケース部材２とを、備える。上ケース部材２は、凸曲面状の透明樹脂製の上面壁５を備え、この上面壁５は、その後縁面３が略水平状で、前縁面４が前方下傾状である。
【００１０】
上面壁５の前縁面４から後縁面３にわたって窓部６が貫設されている。窓部６の後縁部７には、凸曲面状の透明樹脂製の開閉蓋８の後端縁９が、上方へ揺動して開放可能に、枢着されている。図１の２点鎖線は、開閉蓋８が開いた状態を示す。
【００１１】
開閉蓋８の面積を、窓部６の面積を含む上面壁５の全面積の40％以上70％以下を占めるように設定する。この場合、エサやり、水やり、掃除等を容易に行うことができるとともに、強度的にも優れる。上記割合が40％未満の場合、エサやり、水やり、掃除等を行いづらい。上記割合が70％を越える場合、上面壁５の左右側縁等の強度不足となる。
【００１２】
上ケース部材２は、後面10に金属柵11を有する。上ケース部材２の左右側壁12, 13には通気小孔14を有する透明樹脂製の側面壁15, 16を備える。しかも、上面壁５及び開閉蓋８には、金属柵と通気小孔が省略されている。
開閉蓋８は、その前端縁17に上下にスライドする一対のロック片18, 19を有する。ロック片18, 19が窓部６の前端辺20に係止可能に構成されている。
【００１３】
なお、本考案では、「透明」とは半透明をも含むものとする。そして、図６に示すように、各構成品は、ノックダウン式で組立可能な構造である。
本考案は、設計変更可能であって、例えば、エサいれ、水入れ、廻し車等の付属品を具備するも自由である。また、使用に際しては、一般に、内部に床材を敷いて用いる。
【００１４】
上述のように、本考案は、矩形浅皿状のベース盤１と、該ベース盤１に取付け取外し自在に取り付けられた上ケース部材２とを、備え、該上ケース部材２は、後縁面３が略水平状で前縁面４が前方下傾状乃至略鉛直状として、凸曲面状の透明樹脂製の上面壁５を備え、さらに、該上面壁５の前縁面４から後縁面３にわたって窓部６が貫設され、該窓部６の後縁部７には、凸曲面状の透明樹脂製の開閉蓋８の後端縁９が、上方へ揺動して開放可能に、枢着されているので、内部の視認性が良い。また、ハムスターを飼育し易い。すなわち、エサやり、水やり、掃除等を容易に行うことができる。さらに、見た目（デザイン）がかわいい感じであって、室内のインテリアとしても好適である。
【００１５】
また、矩形浅皿状のベース盤１と、該ベース盤１に取付け取外し自在に取り付けられた上ケース部材２とを、備え、該上ケース部材２は、後縁面３が略水平状で前縁面４が前方下傾状乃至略鉛直状として、凸曲面状の透明樹脂製の上面壁５を備え、さらに、該上面壁５の前縁面４から後縁面３にわたって窓部６が貫設され、該窓部６の後縁部７には、凸曲面状の透明樹脂製の開閉蓋８の後端縁９が、上方へ揺動して開放可能に、枢着され、しかも、上記開閉蓋８の面積が、上記窓部６の面積を含む上記上面壁５の全面積の40％以上70％以下を占めるように設定されたので、飼育用品の出し入れや掃除を容易に行うことができるとともに、ハムスターを見やすく、かつ、強度的にも優れる。
【００１６】
また、上記上ケース部材２は、後面10に金属柵11を有し、左右側壁12，13には通気小孔14を有する透明樹脂製の側面壁15，16を備え、しかも、上記上面壁５及び上記開閉蓋８には、金属柵と通気小孔が省略されているので、十分な通気性を備えるとともに、ハムスターを前方からより見やすい。
また、上記開閉蓋８は、その前端縁17に上下にスライドする一対のロック片18，19を有し、該ロック片18，19が上記窓部６の前端辺20に係止可能に構成されているので、不意に開閉蓋８が開いてハムスターが逃げることを防止することができ、ロック片18, 19の係脱操作が容易である。
【図面の簡単な説明】
【００１７】
【図１】本考案の実施の一形態を示す斜視図である。
【図２】後面側から見た斜視図である。
【図３】右側面図である。
【図４】平面図である。
【図５】正面図である。
【図６】分解図である。
【符号の説明】
【００１８】
１  ベース盤
２  上ケース部材
３  後縁面
４  前縁面
５  上面壁
６  窓部
７  後縁部
８  開閉蓋
９  後端縁
10  後面
11  金属柵
12  左側壁
13  右側壁
14  通気小孔
15  側面壁
16  側面壁
17  前端縁
18  ロック片
19  ロック片
20  前端辺
【図１】
0003141950.tif 000003
【図２】
0003141950.tif 000004
【図３】
0003141950.tif 000005
【図４】
0003141950.tif 000006
【図５】
0003141950.tif 000007
【図６】
0003141950.tif 000008